(57)【要約】【課題】地盤の上方の埋立域に投入された埋立材に基づき生じた汚濁水が、地盤内に向かって拡散するということをより確実に防止する。【解決手段】埋立地の地盤における遮水構造は、その上方が埋立域４とされる地盤２の上面側に対し、この上面に沿ったｘ方向Ｘとこれに直交するｙ方向Ｙとにそれぞれ所定間隔をあけて敷設される所定形状かつ遮水性の複数のブロック１４と、ｘ方向Ｘとｙ方向Ｙとで互いに隣り合うブロック１４同士の間の各隙間１５に互いに連続するよう充填される遮水材１６とを備える。【選択図】図１
2009034652.tif 000002
【特許請求の範囲】
【請求項１】
その上方が埋立域とされる地盤の上面側に対し、この上面に沿ったｘ方向とこれに直交するｙ方向とにそれぞれ所定間隔をあけて敷設される所定形状かつ遮水性の複数のブロックと、上記ｘ方向とｙ方向とで互いに隣り合う上記ブロック同士の間の各隙間に互いに連続するよう充填される遮水材とを備えたことを特徴とする埋立地の地盤における遮水構造。
【請求項２】
上記地盤の上面に遮水シートを敷設し、この遮水シートの上面を上記地盤の上面側としたことを特徴とする請求項１に記載の埋立地の地盤における遮水構造。
【請求項３】
上記各ブロックの上面に跨るように遮水シートを敷設したことを特徴とする請求項１、もしくは２に記載の埋立地の地盤における遮水構造。
【発明の詳細な説明】
【技術分野】
【０００１】
本発明は、その上方が廃棄物などの埋立域とされる埋立地の地盤において、上記埋立域から上記地盤内に向けて水が通過することを阻止するようにした遮水構造に関するものである。
【背景技術】
【０００２】
上記埋立地の地盤における遮水構造には、従来、下記特許文献１に示されるものがある。この公報のものによれば、上記遮水構造は、その上方が廃棄物用の埋立域とされる地盤の上面側に対し、この上面に沿った方向に敷設される所定形状の複数ブロックと、これらブロックの上面に跨るよう敷設される遮水シートとを備えている。そして、上記埋立域に廃棄物が投入されて埋立が行われ、廃棄物が処分される。
【０００３】
上記遮水構造によれば、上記各ブロックは堅牢な基盤を構成する。このため、上記各ブロックは、埋立域に投入された廃棄物から与えられる負荷に対し強固に対抗して遮水構造の損傷を防止する。よって、上記埋立域に投入された廃棄物からは、通常、汚濁水が生じるが、この汚濁水が上記遮水構造をその下方に向かって通過することは防止される。つまり、上記汚濁水が地盤内に向かって拡散することにより、環境上の問題が生じる、ということが防止される。
【特許文献１】特許第３６４２０５０号公報
【発明の開示】
【発明が解決しようとする課題】
【０００４】
ところで、上記従来の技術では、地盤の上面側において、上記各ブロックは水平方向で互いに接触するよう敷設されているが、これら隣り合うブロックの間には狭い隙間が生じると考えられ、この隙間は通水性を有している。
【０００５】
このため、前記したように、各ブロックは堅牢な基盤を構成して廃棄物から与えられる負荷に強固に対抗するが、仮に、この負荷により上記遮水シートの一部が損傷したとすると、上記汚濁水は上記遮水シートの一部の損傷部と各ブロックの間の隙間とを容易に通過して、上記地盤内に向かって拡散するおそれを生じる。
【課題を解決するための手段】
【０００６】
本発明は、上記のような事情に注目してなされたもので、本発明の目的は、地盤の上方の埋立域に投入された埋立材に基づき生じた汚濁水が、上記地盤内に向かって拡散するということをより確実に防止することである。
【０００７】
請求項１の発明は、その上方が埋立域４とされる地盤２の上面側に対し、この上面に沿ったｘ方向Ｘとこれに直交するｙ方向Ｙとにそれぞれ所定間隔をあけて敷設される所定形状かつ遮水性の複数のブロック１４と、上記ｘ方向Ｘとｙ方向Ｙとで互いに隣り合う上記ブロック１４同士の間の各隙間１５に互いに連続するよう充填される遮水材１６とを備えたことを特徴とする埋立地の地盤における遮水構造である。
【０００８】
請求項２の発明は、上記地盤２の上面に遮水シート１９を敷設し、この遮水シート１９の上面を上記地盤２の上面側としたことを特徴とする請求項１に記載の埋立地の地盤における遮水構造である。
【０００９】
請求項３の発明は、上記各ブロック１４の上面に跨るように遮水シート２５を敷設したことを特徴とする請求項１、もしくは２に記載の埋立地の地盤における遮水構造である。
【００１０】
なお、この項において、上記各用語に付記した符号や図面番号は、本発明の技術的範囲を後述の「実施例」の項や図面の内容に限定解釈するものではない。
【発明の効果】
【００１１】
本発明による効果は、次の如くである。
【００１２】
請求項１の発明は、その上方が埋立域とされる地盤の上面側に対し、この上面に沿ったｘ方向とこれに直交するｙ方向とにそれぞれ所定間隔をあけて敷設される所定形状かつ遮水性の複数のブロックと、上記ｘ方向とｙ方向とで互いに隣り合う上記ブロック同士の間の各隙間に互いに連続するよう充填される遮水材とを備えている。
【００１３】
このため、上記各ブロックと遮水材とにより上記地盤の上面が補強される。よって、これらブロックと遮水材とは、上記埋立域に投入された埋立材から与えられる負荷に対し強固に対抗して上記地盤における遮水構造の損傷を、より確実に防止する。
【００１４】
そして、上記各ブロックと遮水材との各透水係数（ｃｍ／ｓｅｃ）に鑑み、これらを所望高さに設定してやれば、法規定上等の所望の透水性が確保される。よって、上記埋立域に投入された埋立材に基づき生じた汚濁水が上記地盤内に向かって拡散するということは、上記各ブロックと遮水材とにより、より確実に防止される。
【００１５】
請求項２の発明は、上記地盤の上面に遮水シートを敷設し、この遮水シートの上面を上記地盤の上面側としている。
【００１６】
このため、上記汚濁水が上記地盤内に向かって拡散する、ということは上記遮水シートによって更に確実に防止される。
【００１７】
また、上記地盤の上面に遮水工を施す場合には、この地盤の上面に遮水シートを敷設し、次に、この遮水シートの上面に各ブロックを敷設することとなる。このため、特に、地盤が軟弱である場合には、この地盤の上面に直接に各ブロックを敷設することに比べ、上記各ブロックの敷設時の位置決めが容易にできるなど、この敷設作業が容易にできる。
【００１８】
しかも、次に、上記各ブロック同士の間の各隙間に遮水材を充填するとき、この遮水材が上記地盤の内方に向かって自由に流動することは上記遮水シートにより防止される。よって、上記各隙間への遮水材の充填作業も容易にできる。
【００１９】
この結果、上記発明によれば、遮水工が容易にできて有益である。
【００２０】
請求項３の発明は、上記各ブロックの上面に跨るように遮水シートを敷設している。
【００２１】
このため、上記汚濁水が上記地盤内に向かって拡散する、ということは上記遮水シートによって更に確実に防止される。
【００２２】
また、上記遮水シートは、上記各ブロックおよび遮水材の上面に敷設されているため、これら各ブロックや遮水材からの負荷により上記遮水シートが損傷させられる、ということは防止される。
【発明を実施するための最良の形態】
【００２３】
本発明の埋立地の地盤における遮水構造に関し、地盤の上方の埋立域に投入された埋立材に基づき生じた汚濁水が、上記地盤内に向かって拡散するということをより確実に防止する、という目的を実現するため、本発明を実施するための最良の形態は、次の如くである。
【００２４】
即ち、埋立地の地盤における遮水構造は、その上方が埋立域とされる地盤の上面側に対し、この上面に沿ったｘ方向とこれに直交するｙ方向とにそれぞれ所定間隔をあけて敷設される所定形状かつ遮水性の複数のブロックと、上記ｘ方向とｙ方向とで互いに隣り合う上記ブロック同士の間の各隙間に互いに連続するよう充填される遮水材とを備えている。
【実施例１】
【００２５】
本発明をより詳細に説明するために、その実施例１を添付の図１〜３に従って説明する。
【００２６】
図において、符号１は、海岸における廃棄物埋立地である。
【００２７】
上記埋立地１の地盤２の上方域が、廃棄物などの埋立材３が投入される埋立域４とされている。この埋立域４を囲むよう上記地盤２の外縁部に沿って延びる護岸５が設けられると共に、上記地盤２の外縁部を補強する地盤補強部６が設けられている。上記護岸５の外方域が海域７とされ、つまり、上記護岸５は、埋立材３と海域７とを仕切っている。
【００２８】
上記護岸５は、上、下護岸構造物１０，１１を備えている。上記上護岸構造物１０はコンクリート製のケーソンとされている。一方、上記下護岸構造物１１は、砕石、捨石、砂などによる塊状、粒状重量物で形成されている。上記埋立域４は、上記地盤２の上面と、上記護岸５における埋立域４側の傾斜面とで囲まれた凹部とされている。
【００２９】
上記埋立域４の底面である地盤２の上面側に対し、所定形状かつ遮水性の複数のブロック１４が敷設されている。これら各ブロック１４は上記地盤２の上面に沿ったｘ方向Ｘとこれに直交するｙ方向Ｙとにそれぞれ所定間隔をあけて配置されている。これら各ブロック１４は、陸上で所定形状に形成されたもので、直方体形状をなし、互いに同形同大とされて碁盤目状に配置されている。これら各ブロック１４の各辺の寸法はほぼ４００〜６００ｍｍである。また、上記各ブロック１４はコンクリート製とされている。また、図示しないが、上記各ブロック１４には、これをクレーンで吊り下げるためのフックが取り付けられている。
【００３０】
なお、上記各ブロック１４は立方体形状や消波ブロック形状であってもよく、矩形、多角形、円形の断面を有し、軸心が縦向きの短尺の柱形状であってもよい。また、各ブロック１４の形状や大きさは互いに相違していてもよい。更に、上記各ブロック１４の材質は、樹脂（ゴム含む）製や中空の板金製であってもよい。
【００３１】
上記ｘ方向Ｘとｙ方向Ｙとで互いに隣り合う上記ブロック１４同士の間の各隙間１５に対し、互いに連続するよう粘性のある遮水材１６が充填されている。上記隙間１５の幅寸法は、ほぼ２００〜３００ｍｍである。また、上記遮水材１６はアスファルトマスチックといわれるものである。この遮水材１６は熱可塑性であり、１６０±２０℃の高温で粘性が大きく、かつ、接着性のある熱溶融状態となり、その温度未満の低温では粘性が極めて大きく、レオロジー性を有する。そして、上記熱溶融状態の遮水材１６が、水中、もしくは水面上で上記各隙間１５に充填される。
【００３２】
上記埋立域４の地盤２の上面、護岸５の下護岸構造物１１における埋立域４側の傾斜面、および護岸５の下護岸構造物１１の各上面に全体的に跨るよう、遮水シート１９と、この遮水シート１９の上、下面に重ね合わされる上、下保護シート２０，２１とが敷設されている。そして、これら遮水シート１９、および保護シート２０，２１の３枚重ねシートの上面に、上記したように各ブロック１４と遮水材１６とが敷設されている。
【００３３】
上記各ブロック１４および遮水材１６の各上面に全体的に跨るよう他の保護シート２２が敷設されている。また、上記護岸５の下護岸構造物１１における埋立域４側の傾斜面上に敷設された遮水シート１９、および保護シート２０，２１の上面には、砕石、捨石、砂などによる塊状、粒状重量物２４が積層され、この塊状、粒状重量物２４の上面と、この上面に連なる上記他の保護シート２２の上面の一部とに跨るように他の遮水シート２５が敷設されている。また、この他の遮水シート２５の上面には他のブロック１４が載置されている。なお、上記他の遮水シート２５は、上記各ブロック１４および遮水材１６の各上面に全体的に跨るよう敷設してもよい。
【００３４】
上記遮水シート１９，２５は、熱可塑性の高密度ポリエチレン（ＨＤＰＥ）、低密度ポリエチレン（ＬＤＰＥ）、もしくは塩化ビニールなどの樹脂製であって熱可塑性を有し、厚さはほぼ１．５ｍｍ以上であって、通常、ほぼ３ｍｍとされている。上記保護シート２０〜２２は、ポリエステル樹脂などの不織布製とされ、重量５００ｇ／ｍ２以上とされている。
【００３５】
なお、特に、上記地盤２が軟弱である場合には、これを補強するため、上記保護シート２０〜２２をジオシンセティック（もしくはジオグリッド）にしてもよい。これは、ポリエステル（ＰＥＴ）等の繊維製の網体と、この網体の外面にコーティングされる塩化ビニール（ＰＶＣ）等の樹脂製の表皮とを備え、この表皮には耐候性を向上させるため、カーボンが含有されている。
【００３６】
上記構成によれば、その上方が埋立域４とされる地盤２の上面側に対し、この上面に沿ったｘ方向Ｘとこれに直交するｙ方向Ｙとにそれぞれ所定間隔をあけて敷設される所定形状かつ遮水性の複数のブロック１４と、上記ｘ方向Ｘとｙ方向Ｙとで互いに隣り合う上記ブロック１４同士の間の各隙間１５に互いに連続するよう充填され、少なくともこの充填時に接着性のある粘性の遮水材１６とを備えている。
【００３７】
このため、上記各ブロック１４は上記充填時に接着性のある遮水材１６により互いに連結されて、これら各ブロック１４と遮水材１６とにより上記地盤２の上面が補強される。よって、これらブロック１４と遮水材１６とは、上記埋立域４に投入された埋立材３から与えられる負荷に対し強固に対抗して上記地盤２における遮水構造の損傷を、より確実に防止する。
【００３８】
そして、上記各ブロック１４と遮水材１６との各透水係数に鑑み、これらを所望高さに設定してやれば、法規定上等の所望の透水性が確保される。しかも、上記遮水材１６は粘性を有しているため、上記各ブロック１４が上記埋立材３から与えられる負荷などにより多少変形したり、姿勢・位置変化したりしたとしても、上記遮水材１６は上記各ブロック１４の変形や姿勢・位置変化を吸収して、これらブロック１４と遮水材１６との間に隙間が生じることは抑制される。
【００３９】
よって、上記埋立域４に投入された埋立材３に基づき生じた汚濁水が、上記地盤２内に向かって拡散するということは、上記各ブロック１４と遮水材１６とにより、より確実に防止される。
【００４０】
また、前記したように、地盤２の上面に遮水シート１９を敷設し、この遮水シート１９の上面を上記地盤２の上面側としている。
【００４１】
このため、上記汚濁水が上記地盤２内に向かって拡散する、ということは上記遮水シート１９によって更に確実に防止される。
【００４２】
また、上記地盤２の上面に遮水工を施す場合には、この地盤２の上面に遮水シート１９を敷設し、次に、この遮水シート１９の上面に各ブロック１４を敷設することとなる。このため、特に、地盤２が軟弱である場合には、この地盤２の上面に直接に各ブロック１４を敷設することに比べ、上記各ブロック１４の敷設時の位置決めが容易にできるなど、この敷設作業が容易にできる。
【００４３】
しかも、次に、上記各ブロック１４同士の間の各隙間１５に遮水材１６を充填するとき、この遮水材１が上記地盤２の内方に向かって自由に流動することは上記遮水シート１９により防止される。よって、上記各隙間１５への遮水材１６の充填作業も容易にできる。
【００４４】
この結果、上記構成によれば、遮水工が容易にできて有益である。
【００４５】
なお、上記埋立地１は、海や湖の岸に隣接して設けられるものであってもよく、その水域に囲まれて設けられるものであってもよい。また、上記ブロック１４は、水中もしくは水上で、上記地盤２上に形成した型枠にコンクリートを流し込んで固化させたものであってもよい。
【００４６】
以下の図４は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００４７】
本発明をより詳細に説明するために、その実施例２を添付の図４に従って説明する。
【００４８】
図４において、上記地盤２の上面と各ブロック１４および遮水材１６との間のほとんどには上記遮水シート１９および保護シート２０，２１は設けられていない。一方、上記他の遮水シート２５は、上記他の保護シート２２を介し各ブロック１４と遮水材１６との各上面に全体的に跨るよう敷設されている。また、上記他の遮水シート２５の上面には、この他の遮水シート２５を上記埋立材３からの負荷から保護するため、小石や砂などの粒状重量物２７が敷設されている。
【００４９】
このため、上記汚濁水が上記地盤２内に向かって拡散する、ということは上記他の遮水シート２５によって更に確実に防止される。
【００５０】
また、上記他の遮水シート２５は、上記各ブロック１４および遮水材１６の上面に敷設されているため、これら各ブロック１４や遮水材１６からの負荷により上記他の遮水シート２５が損傷させられる、ということは防止される。
【図面の簡単な説明】
【００５１】
【図１】実施例１を示し、図２の部分拡大断面図である。
【図２】実施例１を示し、埋立地の全体側面断面図である。
【図３】実施例１を示し、各ブロックと遮水材との部分平面図である。
【図４】実施例２を示し、図１に相当する図である。
【符号の説明】
【００５２】
１    埋立地
２    地盤
３    埋立材
４    埋立域
５    護岸
１４  ブロック
１５  隙間
１６  遮水材
１９  遮水シート
２０  保護シート
２１  保護シート
２２  保護シート
２５  遮水シート
Ｘ    ｘ方向
Ｙ    ｙ方向
【図１】
2009034652.tif 000003
【図２】
2009034652.tif 000004
【図３】
2009034652.tif 000005
【図４】
2009034652.tif 000006